(57)【特許請求の範囲】
【請求項１】
上槽と、下槽と、この上槽及び下槽とを締結した槽内に配置される濾床ユニットと、上記槽内の対向する側面に両端部を固定される棒状の固定具とを備え、上記濾床ユニットが、四方を取り囲む側壁と、この側壁の内部に設置される濾材と、濾床ユニットの側壁に設けられ上記固定具に接する水平方向に連続して設けられた凹部又は凸部とを有する浄化槽。
【発明の詳細な説明】
【０００１】
【発明の属する技術分野】
本発明は、浄化槽に関する。
【０００２】
【従来の技術】
浄化槽は、汚水を浄化するための装置であり、地中に埋設して使用される。また、浄化の方法に関しては、様々な方法が用いられているものの、多くの浄化槽においては、微生物を用いて汚水中の有機物質を分解させる方法が採用されている。
【０００３】
図５は、浄化槽の概略断面図である。浄化槽１は、仕切板により内部を複数の部屋に区画され、汚水がその複数の部屋を順次通過することで浄化されるようになっている。図５に示す浄化槽１では、上流側から第１嫌気濾床槽２、第２嫌気濾床槽３、好気濾床槽４、処理水槽５、消毒槽６を設けており、上記第１嫌気濾床槽２、第２嫌気濾床槽３及び好気濾床槽４において、微生物を用いた処理を行っている。
【０００４】
第１嫌気濾床槽２、第２嫌気濾床槽３及び好気濾床槽４は、各々の槽が濾床７、８、９を有しており、その濾床７、８、９内部に設置した濾材（図示省略）に微生物が付着し、濾床７、８では嫌気性微生物が繁殖し、濾床９では好気性微生物が繁殖している。
【０００５】
図６は、図５に示す好気濾床槽部分の拡大分解図である。濾床９は、側壁１２を有し、その内部に設置した通水部材１５、１５の間に濾材（図示省略）を充填させた濾床ユニット１３を、ボルト１６及びナット１７を用いて仕切板１４に固定させ、最後に上槽１０と下槽１１とを接続することで完成する。また、濾床ユニット１３を固定させるのは、浄化槽１の輸送時及び設置時の振動、濾材の浮力、濾床清掃時の濾材及び汚泥の荷重等により濾床ユニット１３が移動するのを防止するために行う。図６では、濾床９について説明を行ったが、図５に示す濾床７、８でも、濾床９と同様に濾床ユニットをボルト１６及びナット１７を用いて仕切板に固定させている。
【０００６】
【発明が解決しようとする課題】
しかしながら、濾床ユニットの固定は、多数のボルト及びナットを使用するものであり、その締結作業は、狭い濾床ユニットの内部にて行うことから作業時間を多く必要とし、作業環境も良好なものではなかった。
【０００７】
本発明は、上記のような課題に鑑みてなされたものであり、濾床ユニット内での作業を行うことなく、濾床ユニットを浄化槽内部に固定し、また固定に要する作業時間を短縮させて、作業環境を良好にする浄化槽を提供することを目的とする。
【０００８】
【課題を解決するための手段】
本発明は、次のものに関する。
（１）上槽と、下槽と、この上槽及び下槽とを締結した槽内に配置される濾床ユニットと、上記槽内の対向する側面に両端部を固定される棒状の固定具とを備え、上記濾床ユニットが、四方を取り囲む側壁と、この側壁の内部に設置される濾材と、濾床ユニットの側壁に設けられ上記固定具に接する水平方向に連続して設けられた凹部又は凸部とを有する浄化槽。
【０００９】
【発明の実施の形態】
本発明に用いる濾床ユニットは、四方を取り囲む側壁及び濾材を有するものであり、濾材の流出を防止するために通水部材を用いることが好ましい。通水部材は、処理水を通過させ且つ濾材が通過しないものであれば特に限定されるものではなく、その材質についても、耐腐食性の金属又は合成樹脂のものを好適に使用することができる。本発明の濾床ユニットは、浄化槽の内部に設置するものであり、汚水の固液分離、微生物の繁殖等に使用される。
【００１０】
本発明に用いる濾材は、濾過機能を有する濾材であれば特に限定されるものではないが、微生物を多く保持させることができることから、網様円筒状、骨格様球状、へちま状、小円筒状、波板状、チューブ状、繊維絡み状等の合成樹脂製の成形体、独立気泡体又は連通気泡体を有した合成樹脂製の成形体、アンスラサイト（無煙炭）、珪砂、セラミック等を好適に用いることができる。また、取り扱い性、コスト及び輸送性等から水に浮く浮上性濾材を用いることが特に好ましい。
【００１１】
本発明に用いる濾床ユニットの側壁には、後述する固定具に接する凹部又は凸部を設ける。上記凹部又は凸部を設ける箇所は、濾床ユニットの側壁であれば特に限定されるものではないが、仕切板及び浄化槽の側壁と接することがない面に設けることが好ましい。また、凹部又は凸部は、その形状を限定されるものではないが、水圧に対して十分な強度をもつように、断面を曲線とすることが好ましく、水平方向に連続して設けることが特に好ましい。
【００１２】
本発明に用いる固定具は、凹部又は凸部に接するようにして、浄化槽に固定されるものであり、濾床ユニットの移動を阻止するものであれば特に限定されるものではない。また、固定具により浄化槽の耐水圧性能及び耐土圧性能を高めるのであれば、その両端部を浄化槽の対向する側壁に各々固定する棒状の固定具を使用することが好ましい。更に、固定具と浄化槽との接続は、ボルト又は接着剤等を使用しても良いが、固定具端部を浄化槽にはめ込むようにして行うことが好ましい。
【００１３】
【実施例】
以下図面を用いて、本発明の実施例を説明する。図１は、本発明の実施例を示す、浄化槽の概略部分分解図である。本実施例の浄化槽は、上槽１０と下槽１１とをフランジ部分で締結させるものであり、その内部に濾床ユニット１３を有している。濾床ユニット１３は、四方に側壁１２を有しており、その側壁１２の内側に２枚の通水部材１５、１５を固定している。通水部材１５、１５の間には、濾材（図示省略）が充填してあり、通水部材１５、１５の通水孔を濾材よりも小さくすることで、濾材の流出を防いでいる。
【００１４】
濾床ユニット１３の側壁１２には、垂直方向断面半円形の凹部１８が設けてあり、凹部１８を設けた側壁１２が仕切板１４の反対側となるように、濾床ユニット１３を下槽１１に載置する。図２は、図１に示す濾床ユニット１３を固定具により固定した浄化槽の概略部分分解図である。濾床ユニット１３を下槽１１に載置した後は、断面円形の固定具１９が凹部１８に接するように、固定具１９を下槽１１に接続する。
【００１５】
図３は、図２に示す浄化槽の詳細断面図であり、（ａ）はＡ−Ａの詳細断面図を示し、（ｂ）はＢ−Ｂの詳細断面図を示す。図３（ａ）に示すように、固定具１９は、濾床ユニットの側壁１２に設けた凹部１８の内部に、入り込むようにして接する。そのため、濾床ユニットは、固定具１９により容易に固定されて、移動することがない。また、図３（ｂ）に示すように、固定具１９の端部は、絞り部２３を有したはめ込み部材２０を接続してあるので、このはめ込み部材２０を上槽１０及び下槽１１のフランジ２１に設けた受け部２２にはめ込むことで、容易に浄化槽へ固定することができる。
【００１６】
図４は、本発明の他の実施例を示す浄化槽の概略部分分解図である。本実施例では、濾床ユニット１３の側壁１２に水平方向へ連続する凸部２５を設けたものであり、この凸部２５により濾床ユニット１３を固定する。固定具１９は、２本の棒状部材２４、２４が間隔を隔てて連結したものを用い、上記棒状部材２４、２４間に凸部２５をはめ込むように接触させ、濾床ユニット１３を固定する。
【００１７】
【発明の効果】
本発明は、濾床ユニットの側壁に凹部又は凸部を設け、その凹部又は凸部に接する固定具により濾床ユニットを浄化槽に固定するので、濾床ユニット内部での作業がなくなり、短時間に且つ容易に濾床ユニットを固定することができる。また、上記凹部又は凸部が水平方向に連続して設けられると、固定具との接触面積が増え、より強固に濾床ユニットの固定を行うことができる。更に、固定具を棒状となし、浄化槽の対向する側壁に各々固定するようにすれば、浄化槽全体の強度を上げることができ、耐水圧性能及び耐土圧性能が向上し、浄化槽が破損する恐れがより一層少なくなる。
【図面の簡単な説明】
【図１】本発明の実施例を示す、浄化槽の概略部分分解図。
【図２】図１に示す濾床ユニットを固定具により固定した浄化槽の概略部分分解図。
【図３】図２に示す浄化槽の詳細断面図であり、（ａ）はＡ−Ａの詳細断面図を示し、（ｂ）はＢ−Ｂの詳細断面図を示す。
【図４】本発明の他の実施例を示す浄化槽の概略部分分解図。
【図５】従来例を示す、浄化槽の概略断面図。
【図６】図５に示す浄化槽の好気濾床槽部分の拡大分解図。
【符号の説明】
１．浄化槽                              ２．第１嫌気濾床槽
３．第２嫌気濾床槽                      ４．好気濾床槽
５．処理水槽                            ６．消毒槽
７．濾床                                ８．濾床
９．濾床                                １０．上槽
１１．下槽                              １２．側壁
１３．濾床ユニット                      １４．仕切板
１５．通水部材                          １６．ボルト
１７．ナット                            １８．凹部
１９．固定具                            ２０．はめ込み部材
２１．フランジ                          ２２．受け部
２３．絞り部                            ２４．棒状部材
２５．凸部
【図１】
0004126821.tif 000002
【図２】
0004126821.tif 000003
【図３】
0004126821.tif 000004
【図４】
0004126821.tif 000005
【図５】
0004126821.tif 000006
【図６】
0004126821.tif 000007